(57)【要約】【課題】冷房の立ち上がりが早く、施工が簡単で、美観が向上するとともに、トイレ等の室内が狭くならず、冷房効果が良好になるように工夫した狭室用冷房装置を提供する。【解決手段】狭室における間仕切り壁１に形成した空洞部２内の床側に、ヒートポンプＨＰを組み込んで、間仕切り壁１の室内側壁面に形成した放熱側ファン８の排気口８ａは、斜め上向きに排気するように設定して、間仕切り壁１の天井４側の換気口１１に、ヒートポンプＨＰの駆動に連動する換気ファン１２を設けることにより、放熱側ファン８の排気口８ａから斜め上向きに排気された温風は、ヒートポンプＨＰの駆動に連動する換気ファン１２から屋外に排気されるので、温風がトイレ等の室内にこもりにくくなって、吸熱側ファン６の排気口６ａから排気される冷風による冷房効果が良好になる。【選択図】図１
2007170744.tif 000002
【特許請求の範囲】
【請求項１】
トイレや洗面所等の狭室における間仕切り壁に空洞部を形成して、この空洞部内の床側に、ヒートポンプの放熱側空気熱交換機および放熱側ファンと、吸熱側空気熱交換機および吸熱側ファンとを組み込む一方、間仕切り壁の室内側壁面に、放熱側空気熱交換機の吸気口と放熱側ファンの排気口および吸熱側空気熱交換機の吸気口と吸熱側ファンの排気口とを形成して、吸熱側ファンの排気口は横向きに排気し、放熱側ファンの排気口は、斜め上向きに排気するように設定するとともに、間仕切り壁の天井側の空洞部内に、室内と屋外とに貫通する換気口を形成して、この換気口に、ヒートポンプの駆動に連動して室内の空気を屋外に排気する換気ファンを設けたことを特徴とする狭室用冷房装置。
【請求項２】
吸熱側空気熱交換機と吸熱側ファンとは、間仕切り壁の床側に組み込むとともに、放熱側空気熱交換機と放熱側ファンとは、間仕切り壁の天井側に組み込んで、放熱側ファンの排気口を換気口に近づけたことを特徴とする請求項１に記載の狭室用冷房装置。
【請求項３】
トイレや洗面所等の狭室における間仕切り壁に空洞部を形成して、この空洞部内の床側に、ヒートポンプの吸熱側空気熱交換機および吸熱側ファンを組み込む一方、間仕切り壁の室内側壁面に、吸熱側空気熱交換機の吸気口と吸熱側ファンの排気口とを形成して、吸熱側ファンの排気口は横向きに排気するように設定するとともに、間仕切り壁の天井側の空洞部内に、室内と屋外とに貫通する換気口を形成して、この換気口に、ヒートポンプの放熱側空気熱交換機および放熱側ファンを組み込んで、放熱側ファンは、室内の空気を屋外に排気する換気ファンを兼ねるようにしたことを特徴とする狭室用冷房装置。
【請求項４】
トイレや洗面所等の狭室における間仕切り壁に、天井の天井裏空間に連通する空洞部を形成して、この空洞部内の床側に、ヒートポンプの放熱側空気熱交換機および放熱側ファンと、吸熱側空気熱交換機および吸熱側ファンとを組み込む一方、間仕切り壁の室内側壁面に、吸熱側空気熱交換機の吸気口と吸熱側ファンの排気口とを形成して、吸熱側ファンの排気口は横向きに排気するように設定するとともに、放熱側空気熱交換機の吸気口と放熱側ファンの排気口とは空洞部内に位置させて、放熱側ファンの排気口は、空洞部内で上向きに排気するように設定していることを特徴とする狭室用冷房装置。
【発明の詳細な説明】
【技術分野】
【０００１】
本発明は、トイレや洗面所等の狭い室に最適な冷房装置に関する。
【背景技術】
【０００２】
従来、図５に示すように、トイレや洗面所等の狭室における間仕切り壁（外壁）１に空洞部２を形成して、床３側の空洞部２内に吸熱側空気熱交換機５および吸熱側ファン６でなるヒートポンプＨＰの一部（室内機）を組み込むとともに、屋外に、放熱側空気熱交換機７および放熱側ファン８と、圧縮機９および膨張弁１０とでなるヒートポンプＨＰの残部（室外機）を設置して、間仕切り壁２の室内側壁面に、吸熱側空気熱交換機５の吸気口５ａと吸熱側ファン６の排気口６ａとを形成して、吸熱側ファン６の排気口６ａは横向きに排気するように設定するとともに、間仕切り壁１の天井４側の空洞部２内に、室内と屋外とに貫通する換気口１１を形成して、この換気口１１に、室内の空気を屋外に排気する換気ファン１２を設けたものがある。
【０００３】
前記のようなヒートポンプＨＰは、圧縮機９で圧縮した冷媒を放熱側空気熱交換機（凝縮機）７に送り、凝縮熱を放熱して凝縮した冷媒を膨張弁１０で減圧した後、吸熱側空気熱交換機（蒸発器）５に送り、蒸発熱を吸熱して蒸発した冷媒を圧縮機９に戻す冷房サイクルを繰り返す一方、放熱側ファン８で、放熱側空気熱交換機（凝縮機）７で発生した熱の放熱を促すとともに、吸熱側ファン６で、吸熱側空気熱交換機（蒸発器）５で発生した冷気の放出を促すようにしたものである。
【０００４】
また、トイレの室内にヒートポンプを組み込んだトイレ用空気調和機を設置して、放熱側ファンの排気口は横向きに排気し、吸熱側ファンの排気口は、上向きに排気するように設定したものがある（特許文献１参照）。
【特許文献１】特開２００３−２１３５９号公報
【発明の開示】
【発明が解決しようとする課題】
【０００５】
しかしながら、図５の背景技術では、室内機である吸熱側空気熱交換機５と、室外機である放熱側空気熱交換機７とを冷媒配管１３で接続するから、放熱側空気熱交換機７と冷媒配管１３とは屋外にあって高温になりやすいので、冷房の立ち上がりが遅くなるとともに、冷媒配管１３が間仕切り壁（外壁）１を貫通するので、施工に手間がかかり、室外機である放熱側空気熱交換機７が屋外に設置されるので、美観を損ねるという問題がある。
【０００６】
また、特許文献１では、トイレの室内にトイレ用空気調和機を設置しなければならないから、トイレの室内がさらに狭くなるとともに、放熱側ファンの排気口から排気される熱風がトイレの室内にこもりやすいので、吸熱側ファンの排気口から排気される冷風による冷房効果が悪くなるという問題があった。
【０００７】
本発明は、前記問題を解消するためになされたもので、冷房の立ち上がりが早く、施工が簡単で、美観が向上するとともに、トイレ等の室内が狭くならず、冷房効果が良好になるように工夫した狭室用冷房装置を提供することを目的とするものである。
【課題を解決するための手段】
【０００８】
前記課題を解決するために、本発明の第１の手段は、トイレや洗面所等の狭室における間仕切り壁に空洞部を形成して、この空洞部内の床側に、ヒートポンプの放熱側空気熱交換機および放熱側ファンと、吸熱側空気熱交換機および吸熱側ファンとを組み込む一方、間仕切り壁の室内側壁面に、放熱側空気熱交換機の吸気口と放熱側ファンの排気口および吸熱側空気熱交換機の吸気口と吸熱側ファンの排気口とを形成して、吸熱側ファンの排気口は横向きに排気し、放熱側ファンの排気口は、斜め上向きに排気するように設定するとともに、間仕切り壁の天井側の空洞部内に、室内と屋外とに貫通する換気口を形成して、この換気口に、ヒートポンプの駆動に連動して室内の空気を屋外に排気する換気ファンを設けたことを特徴とする狭室用冷房装置を提供するものである。
【０００９】
放熱側ファンの排気口からの温風を屋外に速やかに排気するために、吸熱側空気熱交換機と吸熱側ファンとは、間仕切り壁の床側に組み込むとともに、放熱側空気熱交換機と放熱側ファンとは、間仕切り壁の天井側に組み込んで、放熱側ファンの排気口を換気口に近づけた構成とすることが好ましい。
【００１０】
本発明の第２の手段は、トイレや洗面所等の狭室における間仕切り壁に空洞部を形成して、この空洞部内の床側に、ヒートポンプの吸熱側空気熱交換機および吸熱側ファンを組み込む一方、間仕切り壁の室内側壁面に、吸熱側空気熱交換機の吸気口と吸熱側ファンの排気口とを形成して、吸熱側ファンの排気口は横向きに排気するように設定するとともに、間仕切り壁の天井側の空洞部内に、室内と屋外とに貫通する換気口を形成して、この換気口に、ヒートポンプの放熱側空気熱交換機および放熱側ファンを組み込んで、放熱側ファンは、室内の空気を屋外に排気する換気ファンを兼ねるようにしたことを特徴とする狭室用冷房装置を提供するものである。
【００１１】
本発明の第３の手段は、トイレや洗面所等の狭室における間仕切り壁に、天井の天井裏空間に連通する空洞部を形成して、この空洞部内の床側に、ヒートポンプの放熱側空気熱交換機および放熱側ファンと、吸熱側空気熱交換機および吸熱側ファンとを組み込む一方、間仕切り壁の室内側壁面に、吸熱側空気熱交換機の吸気口と吸熱側ファンの排気口とを形成して、吸熱側ファンの排気口は横向きに排気するように設定するとともに、放熱側空気熱交換機の吸気口と放熱側ファンの排気口とは空洞部内に位置させて、放熱側ファンの排気口は、空洞部内で上向きに排気するように設定していることを特徴とする狭室用冷房装置を提供するものである。
【発明の効果】
【００１２】
本発明の第１の手段によれば、トイレ等の間仕切り壁の空洞部内に、ヒートポンプの放熱側空気熱交換機および放熱側ファンと、吸熱側空気熱交換機および吸熱側ファンとを組み込むようにしたから、トイレ等の室内に空気調和機を設置する必要が無くなるので、トイレ等の室内が狭くならないとともに、放熱側ファンの排気口から斜め上向きに排気された温風は、ヒートポンプの駆動に連動する換気ファンから屋外に排気されるので、温風がトイレ等の室内にこもりにくくなって、吸熱側ファンの排気口から排気される冷風による冷房効果が良好になる。
【００１３】
また、間仕切り壁の空洞部内にヒートポンプの放熱側空気熱交換機および放熱側ファンと、吸熱側空気熱交換機および吸熱側ファンとを組み込むから、冷媒配管が短くて済むとともに、放熱側空気熱交換機と冷媒配管とは屋外の環境にさらされないので冷房の立ち上がりが早くなる。さらに、間仕切り壁（外壁）を貫通する工事が無いので、施工が簡単になるとともに、放熱側空気熱交換機（室外機）を屋外に設置しないので、美観が向上するようになる。
【００１４】
本発明の第２の手段によれば、トイレ等の間仕切り壁の空洞部内に、ヒートポンプの吸熱側空気熱交換機および吸熱側ファンを組み込むとともに、間仕切り壁の換気口に、ヒートポンプの放熱側空気熱交換機および放熱側ファンを組み込むようにしたから、トイレ等の室内に空気調和機を設置する必要が無くなるので、トイレ等の室内が狭くならないとともに、放熱側ファンから排気された温風は、そのまま換気口から屋外に排気されるので、温風がトイレ等の室内に全くこもらなくなって、吸熱側ファンの排気口から排気される冷風による冷房効果がより良好になる。また、放熱側ファンが換気ファンを兼ねるので、換気ファンが不要になって、設置スペースが少なくなるとともにコストも安くなる。その他の効果は第１の手段と同様である。
【００１５】
本発明の第３の手段によれば、トイレ等の間仕切り壁の空洞部内に、ヒートポンプの放熱側空気熱交換機および放熱側ファンと、吸熱側空気熱交換機および吸熱側ファンとを組み込むようにしたから、トイレ等の室内に空気調和機を設置する必要が無くなるので、トイレ等の室内が狭くならないとともに、放熱側ファンの排気口から排気された温風は、空洞部内から天井裏空間に排気されるので、温風がトイレ等の室内に全くこもらなくなって、吸熱側ファンの排気口から排気される冷風による冷房効果がより良好になる。その他の効果は第１の手段と同様である。
【発明を実施するための最良の形態】
【００１６】
以下、本発明を実施するための最良の形態について、図面を参照しながら詳細に説明する。なお、背景技術と同一構成・作用の箇所は、同一番号を付して詳細な説明を省略する。
【００１７】
図１は、第１実施形態の狭室用冷房装置２０Ａの側面断面図であり、トイレや洗面所等の狭室における間仕切り壁（外壁）１に形成した空洞部２内の床３側に、ヒートポンプＨＰの放熱側空気熱交換機７および放熱側ファン８を上段位置に組み込むとともに、吸熱側空気熱交換機５および吸熱側ファン６を下段位置に組み込んでいる。
【００１８】
上段位置の放熱側空気熱交換機７と下段位置の吸熱側空気熱交換機５とは上下一連に連結してユニット化したものであり、下段位置の吸熱側空気熱交換機５内には、ヒートポンプＨＰの圧縮機９および膨張弁１０を組み込んで、このユニット内で放熱側空気熱交換機７と吸熱側空気熱交換機５等を冷媒配管１３で接続している。
【００１９】
間仕切り壁１の室内側壁面には、最上位置に放熱側ファン８の排気口８ａを形成し、その下位置に放熱側空気熱交換機７の吸気口７ａを形成し、その下位置に吸熱側ファン６の排気口６ａを形成し、最下位置に吸熱側空気熱交換機５の吸気口５ａを形成している。
【００２０】
吸熱側ファン６の排気口６ａは、トイレ等の使用者に冷風が吹き付けるように横向きに排気するようになっており、放熱側ファン８の排気口８ａは、トイレ等の使用者に温風が吹き付けられないように斜め上向きに排気するようになっている。
【００２１】
間仕切り壁１の天井４側の空洞部２内には、室内と屋外とに貫通する換気口１１を形成して、この換気口１１に、ヒートポンプＨＰの駆動に連動して室内の空気を屋外に排気する換気ファン１２を設けている。
【００２２】
第１実施形態の狭室用冷房装置２０Ａであれば、トイレ等の間仕切り壁１の空洞部２内に、ヒートポンプＨＰの放熱側空気熱交換機７および放熱側ファン８と、吸熱側空気熱交換機５および吸熱側ファン６とを組み込むようにしたから、トイレ等の室内に空気調和機を設置する必要が無くなるので、トイレ等の室内が狭くならないとともに、放熱側ファン８の排気口８ａから斜め上向きに排気された温風は、ヒートポンプＨＰの駆動に連動する天井４側の換気ファン１２から屋外に排気されるので、温風がトイレ等の室内にこもりにくくなって、吸熱側ファン６の排気口６ａから排気される冷風による冷房効果が良好になる。
【００２３】
また、間仕切り壁１の空洞部２内に室内側からヒートポンプＨＰの放熱側空気熱交換機７および放熱側ファン８と、吸熱側空気熱交換機５および吸熱側ファン６とを組み込むから、冷媒配管１３が短くて済むとともに、放熱側空気熱交換機７と冷媒配管１３とは屋外の環境にさらされないので冷房の立ち上がりが早くなる。さらに、間仕切り壁１を貫通する工事が無いので、施工が簡単になるとともに、放熱側空気熱交換機（室外機）７を屋外に設置しないので、美観が向上するようになる。
【００２４】
図２は、第１実施形態の狭室用冷房装置２０Ａの変形例の側面断面図であり、放熱側空気熱交換機７と放熱側ファン８とを間仕切り壁１の天井４側に組み込んで、放熱側ファン８の排気口８ａを換気口１１に近づけることで、放熱側ファン８の排気口８ａから斜め上向きに排気された温風は、ヒートポンプＨＰの駆動に連動する天井４側の換気ファン１２から屋外に速やかに排気されるので、温風がトイレ等の室内によりこもりにくくなって、吸熱側ファン６の排気口６ａから排気される冷風による冷房効果がより良好になる。
【００２５】
図３は、第２実施形態の狭室用冷房装置２０Ｂの側面断面図であり、第１実施形態の狭室用冷房装置２０Ａと相違する点は、間仕切り壁（外壁）１に形成した空洞部２内の床３側に、ヒートポンプＨＰの吸熱側空気熱交換機５および吸熱側ファン６を組み込んでいる。
【００２６】
また、間仕切り壁１の天井４側の空洞部２内には、室内と屋外とに貫通する換気口１１を形成して、この換気口１１に、ヒートポンプＨＰの放熱側空気熱交換機７および放熱側ファン８を組み込んでいる。そして、放熱側空気熱交換機７と吸熱側空気熱交換機５等とを空洞部２内の冷媒配管１３で接続している。
【００２７】
第２実施形態の狭室用冷房装置２０Ｂであれば、トイレ等の間仕切り壁１の空洞部２内に、ヒートポンプＨＰの吸熱側空気熱交換機５および吸熱側ファン６を組み込むとともに、間仕切り壁１の換気口１１に、ヒートポンプＨＰの放熱側空気熱交換機７および放熱側ファン８を組み込むようにしたから、トイレ等の室内に空気調和機を設置する必要が無くなるので、トイレ等の室内が狭くならないとともに、放熱側ファン８から排気された温風は、そのまま換気口１１から屋外に排気されるので、温風がトイレ等の室内に全くこもらなくなって、吸熱側ファン６の排気口６ａから排気される冷風による冷房効果がより良好になる。
【００２８】
また、放熱側ファン８が換気ファン１２を兼ねるので、換気ファン１２が不要になって、設置スペースが少なくなるとともにコストも安くなる。その他の効果は、第１実施形態と同様である。
【００２９】
図４は、第３実施形態の狭室用冷房装置２０Ｃの側面断面図であり、第１実施形態の狭室用冷房装置２０Ａと相違する点は、放熱側空気熱交換機７の吸気口７ａと放熱側ファン８の排気口８ａとは空洞部２内に位置させて、放熱側ファン８の排気口８ａは、空洞部２内で上向きに排気するようにしている。また、間仕切り壁１の空洞部２は、天井４の天井裏空間４ａに連通させている。
【００３０】
第４実施形態の狭室用冷房装置２０Ｃであれば、放熱側ファン８の排気口８ａから排気された温風は、空洞部２内から天井裏空間４ａに排気されるので（矢印ａ参照）、温風がトイレ等の室内に全くこもらなくなって、吸熱側ファン６の排気口６ａから排気される冷風による冷房効果がより良好になる。その他の効果は、第１実施形態と同様である。
【図面の簡単な説明】
【００３１】
【図１】本発明の第１実施形態に係る狭室用冷房装置の側面断面図である。
【図２】第１実施形態の変形例に係る狭室用冷房装置の側面断面図である。
【図３】本発明の第２実施形態に係る狭室用冷房装置の側面断面図である。
【図４】本発明の第３実施形態に係る狭室用冷房装置の側面断面図である。
【図５】従来の狭室用冷房装置の側面断面図である。
【符号の説明】
【００３２】
１    間仕切り壁
２    空洞部
３    床
４    天井
４ａ  天井裏空間
５    吸熱側空気熱交換機
５ａ  吸気口
６    吸熱側ファン
６ａ  排気口
７    放熱側空気熱交換機
７ａ  吸気口
８    放熱側ファン
８ａ  排気口
９    圧縮機
１０  膨張弁
１１  換気口
１２  換気ファン
１３  冷媒配管
２０Ａ〜２０Ｃ  狭室用冷房装置
ＨＰ  ヒートポンプ
【図１】
2007170744.tif 000003
【図２】
2007170744.tif 000004
【図３】
2007170744.tif 000005
【図４】
2007170744.tif 000006
【図５】
2007170744.tif 000007